(57)【要約】【課題】容器本体に収容した内容物を、髪を梳かしながら塗布することも局所的に塗布することも可能な塗布容器を提案する。【解決手段】本発明の塗布容器は、上部開口１ａを備える口部１ｂを有し、内容物を収容する容器本体１と、口部１ｂに保持され、上部開口１ａに通じる吐出口３ｄを有するとともに吐出口３ｄから吐出される内容物を塗布先に塗るための塗布部３ｅを有する栓体２と、塗布部３ｅを覆って口部１ｂ又は栓体２に対して着脱可能に保持され、複数の櫛歯片５ｄを有するとともに櫛歯片５ｄの相互間に吐出口３ｄに通じる連通口５ｅを有する櫛付きキャップ５と、を備える。【選択図】図１
2019208536.tif 000002
【特許請求の範囲】
【請求項１】
上部開口を備える口部を有し、内容物を収容する容器本体と、
前記口部に保持され、前記上部開口に通じる吐出口を有するとともに該吐出口から吐出される内容物を塗布先に塗るための塗布部を有する栓体と、
前記塗布部を覆って前記口部又は前記栓体に対して着脱可能に保持され、複数の櫛歯片を有するとともに該櫛歯片の相互間に前記吐出口に通じる連通口を有する櫛付きキャップと、を備える塗布容器。
【請求項２】
前記口部又は前記栓体に対して前記櫛付きキャップを着脱可能に保持するねじ機構と、
前記口部又は前記栓体に対する前記櫛付きキャップの締め付け方向への回転が完了した際に、該口部又は該栓体に対する該櫛付きキャップの緩み方向への回転を規制する緩み止め機構と、を備える請求項１に記載の塗布容器。
【請求項３】
前記櫛歯片を覆う蓋体と、
前記櫛付きキャップに対して前記蓋体を着脱可能に保持する他のねじ機構と、を備える請求項１又は２に記載の塗布容器。
【請求項４】
前記塗布部は、前記吐出口を覆う多孔質体を備える請求項１〜３の何れか一項に記載の塗布容器。
【請求項５】
前記容器本体は、内容物を収容し減容変形可能な内層体と、該内層体との相互間に位置する内部空間に外気を導入する外気導入口を有するとともに可撓性を有する外層体と、を備える請求項１〜４の何れか一項に記載の塗布容器。
【請求項６】
前記吐出口を閉鎖する一方、前記内層体の内圧が高まると該吐出口を開放する内容物用逆止弁と、
前記栓体に設けられ、前記外気導入口に通じる通気口と、
前記内部空間の内圧が高まると前記通気口を閉鎖する一方、該内部空間の内圧が低まると該通気口を開放する空気用逆止弁と、を備える請求項５に記載の塗布容器。
【発明の詳細な説明】
【技術分野】
【０００１】
本発明は、容器本体に収容した内容物を塗布先に直接塗布することができる塗布容器に関する。
【背景技術】
【０００２】
例えば白髪染め剤、ヘアマニキュア、ヘアカラー、整髪料等を収容する容器においては、このような内容物を頭髪に直接塗布すべく、複数の櫛歯片の間から内容物を吐出できるようにしたキャップを備える塗布容器が既知である。
【０００３】
例えば特許文献１には、上部を開口させた容器本体と、複数の櫛歯片の間に吐出口を有し容器本体に装着される櫛付きキャップとを備え、容器本体に対して櫛付きキャップを回転させることによって、容器本体から吐出口に通じる通路を開閉することができる塗布容器が示されている。
【先行技術文献】
【特許文献】
【０００４】
【特許文献１】特開平６−７０８０９号公報
【発明の概要】
【発明が解決しようとする課題】
【０００５】
ところで特許文献１をはじめとする従来の塗布容器は、櫛歯片を使って長い髪を梳かしながら内容物を塗布するものである。すなわち、このような塗布容器は、主に髪全体に対して内容物を塗布するものである。一方、白髪染め剤等は、髪の生え際に対して部分的に塗布することもあるが、このような櫛付きキャップでは塗布しにくいため、局所的に塗布することのできる別の容器を使わなければならず、手間を要している。
【０００６】
本発明は、このような問題点を解決することを課題とするものであって、容器本体に収容した内容物を、髪を梳かしながら塗布することも局所的に塗布することも可能な塗布容器を提供することを目的とする。
【課題を解決するための手段】
【０００７】
本発明は、上部開口を備える口部を有し、内容物を収容する容器本体と、
前記口部に保持され、前記上部開口に通じる吐出口を有するとともに該吐出口から吐出される内容物を塗布先に塗るための塗布部を有する栓体と、
前記塗布部を覆って前記口部又は前記栓体に対して着脱可能に保持され、複数の櫛歯片を有するとともに該櫛歯片の相互間に前記吐出口に通じる連通口を有する櫛付きキャップと、を備える塗布容器である。
【０００８】
前記口部又は前記栓体に対して前記櫛付きキャップを着脱可能に保持するねじ機構と、
前記口部又は前記栓体に対する前記櫛付きキャップの締め付け方向への回転が完了した際に、該口部又は該栓体に対する該櫛付きキャップの緩み方向への回転を規制する緩み止め機構と、を備えることが好ましい。
【０００９】
前記櫛歯片を覆う蓋体と、
前記櫛付きキャップに対して前記蓋体を着脱可能に保持する他のねじ機構と、を備えることが好ましい。
【００１０】
前記塗布部は、前記吐出口を覆う多孔質体を備えることが好ましい。
【００１１】
前記容器本体は、内容物を収容し減容変形可能な内層体と、該内層体との相互間に位置する内部空間に外気を導入する外気導入口を有するとともに可撓性を有する外層体と、を備えることが好ましい。
【００１２】
前記吐出口を閉鎖する一方、前記内層体の内圧が高まると該吐出口を開放する内容物用逆止弁と、
前記栓体に設けられ、前記外気導入口に通じる通気口と、
前記内部空間の内圧が高まると前記通気口を閉鎖する一方、該内部空間の内圧が低まると該通気口を開放する空気用逆止弁と、を備えることが好ましい。
【発明の効果】
【００１３】
本発明の塗布容器では、栓体に設けた塗布部を使って内容物を局所的に塗布することができる。またこの塗布容器は、塗布部を覆って容器本体の口部又は栓体に着脱可能に保持され、複数の櫛歯片を有するとともにこれらの櫛歯片の相互間に栓体の吐出口に通じる連通口を有する櫛付きキャップを備えているため、この櫛付きキャップを取り付けた状態で使用すれば、髪を梳かしながら内容物を塗布することができる。
【００１４】
また、口部又は栓体に対して櫛付きキャップを着脱可能に保持するねじ機構と、櫛付きキャップの締め付け方向への回転が完了した際に櫛付きキャップの緩み方向への回転を規制する緩み止め機構と、を設ける場合は、櫛付きキャップの着脱が簡単に行えるうえ、櫛付きキャップを取り付けた際には緩み止め機構によって不用意に外れることがないため、使い勝手に優れている。
【００１５】
また、櫛歯片を覆う蓋体と、櫛付きキャップに対して蓋体を着脱可能に保持する他のねじ機構を設ける場合は、櫛歯片に対する埃等の付着を防止できるとともに、内容物が櫛歯片や吐出口の周辺で固化する不具合を有効に防止することができる。また、上述した緩み止め機構を設けたものに適用する場合は、取り外しにあたって蓋体を回転させても、櫛付きキャップが共回りすることがない。
【００１６】
そして塗布部が、吐出口を覆う多孔質体を備える場合は、吐出口から吐出する内容物を多孔質体全体から染み出させることができるため、局所的に塗布するにあたって内容物が一部分だけに過剰に付いてしまう等の不具合が防止できる。
【００１７】
また容器本体を、内容物を収容し減容変形可能な内層体と、内層体との相互間に位置する内部空間に外気を導入する外気導入口を有するとともに可撓性を有する外層体と、を備えるものとする場合は、内層体に空気を取り込むことなく内容物を吐出することができるため、内層体に収容した内容物の品質を維持することができる。また、容器本体の姿勢によらずに内容物を吐出することができるため、例えば側頭部に塗布する際にも内容物を安定的に吐出することができる。
【００１８】
このような内層体と外層体を備えるものにあっては、上述した内容物用逆止弁と空気用逆止弁とを設けることが好ましく、この場合は、内層体への空気の侵入をより確実に防止できる。また、外層体を押圧した際には内容物が確実に吐出され、押圧を解除した際には、内容物の吐出が直ちに停止するため、意図した通りに内容物を吐出させることができる。
【図面の簡単な説明】
【００１９】
【図１】本発明に従う塗布容器の第一実施形態を示す半断面図である。
【図２】図１に示した塗布容器から蓋体を取り外した状態を示す、（ａ）は平面図であり、（ｂ）は半断面図であり、（ｃ）は（ａ）に示すＢ−Ｂに沿う断面図である。
【図３】図２に示した塗布容器から櫛付きキャップを取り外した状態を示す半断面図である。
【図４】本発明に従う塗布容器の第二実施形態を示す半断面図である。
【図５】図４に示した塗布容器から蓋体を取り外した状態を示す、（ａ）は平面図であり、（ｂ）は半断面図であり、（ｃ）は（ａ）に示すＥ−Ｅに沿う断面図である。
【図６】図５に示した塗布容器から櫛付きキャップを取り外した状態を示す半断面図である。
【図７】図５に示した塗布容器において、外層体を押圧して内容物を吐出させる状況を説明する図である。
【図８】図７に示す状態の後、外層体が復元する状況を説明する図である。
【発明を実施するための形態】
【００２０】
以下、本発明に従う塗布容器の一実施形態について、図面を参照しながら説明する。なお、本明細書等における「上」、「下」の関係は、特に言及しない場合は、図１に示すように容器本体（符号１）を正立させた状態での向きをいう。
【００２１】
まず、図１〜図３を参照しながら、本発明に従う塗布容器の第一実施形態について説明する。本実施形態の塗布容器は、容器本体１、栓体２（内栓３、外栓４で構成される）、櫛付きキャップ５、蓋体６を備えている。
【００２２】
容器本体１は、有底筒状をなすものであって、内側に内容液を収容する収容空間Ｓを備えている。容器本体１の上部には、円筒状をなすとともに、上部開口１ａを備える口部１ｂが設けられている。口部１ｂの上端部には、外向き爪部１ｃが設けられている。また口部１ｂの上下方向中間部分には、雄ねじ部１ｄが設けられている。更に口部１ｂの下端部には、図１のＡ−Ａ断面図に示すように、径方向外側に向けて突出する小突起１ｅと、径方向外側に向けて小突起１ｅよりも大きく突出するとともに小突起１ｅに対して周方向に間隔をあけて設けられる大突起１ｆが設けられている。
【００２３】
内栓３は、上部開口１ａに挿入されるとともに口部１ｂの内周面に液密に当接する筒状壁３ａと、筒状壁３ａから径方向外側に突出して口部１ｂの上端に当接するフランジ３ｂと、上方に向けて突出するように湾曲するとともに筒状壁３ａの上端部を閉鎖する天壁３ｃと、天壁３ｃを貫通する吐出口３ｄとを備えている。また天壁３ｃの上面には、吐出口３ｄを覆って天壁３ｃに固着される多孔質体３ｅが設けられている。ここで多孔質体３ｅは、内部に形成された細かい孔によって表裏が連通しているものであり、吐出口３ｄから吐出される内容物を染み出させて内容物を局所的に塗布する塗布部として機能するものである。このような多孔質体３ｅとしては、繊維を寄せ集めたものや材料を発泡させたものなど、種々のものが挙げられるが、本実施形態ではスポンジを使用している。
【００２４】
外栓４は、概略円筒状をなすように形成されていて、その下端部には、外向き爪部１ｃに係合する内向き爪部４ａが設けられている。これにより外栓４は、容器本体１に保持される。また外栓４の内周面には、フランジ３ｂを収めて内栓３の容器本体１からの抜け出しを阻止する凹部４ｂが設けられている。
【００２５】
櫛付きキャップ５は、有蓋筒状をなし、多孔質体３ｅを覆うとともに外栓４と口部１ｂを取り囲むキャップ本体５ａを備えている。キャップ本体５ａの内周面には、雄ねじ部１ｄに係合する雌ねじ部５ｂが設けられている。これにより、雄ねじ部１ｄと雌ねじ部５ｂが締め付けられる方向に櫛付きキャップ５を回転させると、櫛付きキャップ５を容器本体１に保持することができる。なお本実施形態の雄ねじ部１ｄと雌ねじ部５ｂは、本明細書等において「ねじ機構」と称した部位になる。
【００２６】
またキャップ本体５ａの内周面下端部には、図１のＡ−Ａ断面図に示すように、径方向内側に向けて突出する係止突起５ｃが設けられている。ここで係止突起５ｃは、櫛付きキャップ５を締め付け方向へ回転させると、回転が完了する直前で小突起１ｅを乗り越えて、大突起１ｆに当接して回転が完了するものである。そして櫛付きキャップ５の回転が完了した際、係止突起５ｃは、小突起１ｅと大突起１ｆの間に収まるため、櫛付きキャップ５の緩み方向への回転を規制することができる。なお本実施形態の小突起１ｅ、大突起１ｆ、及び係止突起５ｃは、本明細書等で「緩み止め機構」と称した部位になる。
【００２７】
そしてキャップ本体５ａの上部には、図２に示すように平行に並ぶ複数の櫛歯片５ｄが設けられていて、櫛歯片５ｄの相互間には、表裏を貫通するとともに多孔質体３ｅを介して吐出口３ｄに通じる連通口５ｅが設けられている。
【００２８】
更に、図１に示すように櫛歯片５ｄの下方におけるキャップ本体５ａの外周面には、雄ねじ部（第二雄ねじ部）５ｆが設けられている。
【００２９】
蓋体６は、有蓋筒状をなし、櫛歯片５ｄを覆うようにして設けられるものである。蓋体６の内周面下端部には、第二雄ねじ部５ｆに係合する雌ねじ部（第二雌ねじ部）６ａが設けられている。これにより、第二雄ねじ部５ｆと第二雌ねじ部６ａが締め付けられる方向に蓋体６を回転させると、蓋体６を櫛付きキャップ５に保持することができる。なお本実施形態の第二雄ねじ部５ｆと第二雌ねじ部６ａは、本明細書等で「他のねじ機構」と称した部位になる。
【００３０】
このような構成になる塗布容器によって、髪を梳かしながら内容物を塗布するには、まず、図１に示す蓋体６を緩み方向に回転させてこれを櫛付きキャップ５から取り外す。ここで本実施形態の櫛付きキャップ５は、上述した緩み止め機構によって緩み方向への回転が規制されているため、蓋体６を回転させた際に一緒に連れ回ることがない。そして、図２のように櫛歯片５ｄを露出させた後は、例えば容器本体１を倒立姿勢に変位させるとともに、容器本体１の胴部を押圧することによって、容器本体１の内容物を、吐出口３ｄ、多孔質体３ｅを介して連通口５ｅから吐出させることができるため、櫛歯片５ｄで髪を梳かしながら内容物を塗布することができる。
【００３１】
また局所的に内容物を塗布するには、櫛付きキャップ５に対して緩み方向にやや強めに力を加える。これにより、小突起１ｅと大突起１ｆの間に収まっていた係止突起５ｃが小突起１ｅを乗り越えて、櫛付きキャップ５を緩み方向に回転させることができるため、容器本体１から櫛付きキャップ５を取り外すことができる。そして櫛付きキャップ５を取り外すことで、図３に示すように多孔質体３ｅを露出させることができるため、多孔質体３ｅを塗布先に当てるようにして内容物を局所的に塗布することができる。
【００３２】
内容物の塗布が終了した後は、図１に示すように、蓋体６を櫛付きキャップ５に装着する。これにより、櫛歯片５ｄを覆い隠すことができるため、埃等の付着が防止されて衛生的に保管することができる。また、蓋体６を取り付けることによって櫛歯片５ｄや多孔質体３ｅに付着した内容物の乾燥を抑えることができるため、内容物が櫛歯片５ｄ等の周辺で固化する不具合を防止することができる。
【００３３】
次に、図４〜図８を参照しながら、本発明に従う塗布容器の第二実施形態について説明する。本実施形態の塗布容器は、容器本体７（内層体８、外層体９で構成される）、栓体１０（内栓１１、内容物用逆止弁１２、外栓１３、空気用逆止弁１４で構成される）、櫛付きキャップ１５、蓋体１６を備えている。
【００３４】
内層体８は、その内側に内容物を収容可能な収容空間Ｓを備えている。本実施形態の内層体８は、薄肉の合成樹脂製であって、減容変形可能である。
【００３５】
外層体９は、可撓性を有する合成樹脂製であって、有底筒状をなし、内側に内層体８を収めている。外層体９の上部には、円筒状をなすとともに、上方を開口させた口部９ａが設けられている。ここで、口部９ａの内側に収められた内層体８は、口部９ａの上端部で外側に巻き返されていて、上方が開放した上部開口８ａを備える状態で外層体９に収められている。また口部９ａには、その上部に位置して上下方向に延びる溝部９ｂと、溝部９ｂの下方に位置して径方向外側に突出する係止部９ｃと、係止部９ｃの下方に位置して口部９ａを径方向に貫通する外気導入口９ｄが設けられている。
【００３６】
また内層体８と外層体９との相互間には、外気導入口９ｄに通じる内部空間Ｎが形成される。
【００３７】
本実施形態における内層体８と外層体９は、相互に相溶性が低い合成樹脂を剥離可能に積層させたものである。内層体８及び外層体９を構成する合成樹脂としては、例えばナイロン樹脂（ＰＡ）、エチレンビニルアルコール共重合樹脂（ＥＶＯＨ）、変性ポリオレフィン樹脂（例えば三井化学株式会社製「アドマー」（登録商標）等）、ポリプロピレン樹脂（ＰＰ）、低密度ポリエチレン（ＬＤＰＥ）や高密度ポリエチレン樹脂（ＨＤＰＥ）をはじめとするポリエチレン樹脂（ＰＥ）、ポリエチレンテレフタレート樹脂（ＰＥＴ）等を採用することができる。このような内層体８と外層体９は、内層体８を形成する合成樹脂素材と外層体９を形成する合成樹脂素材とが積層されたパリソンを、ブロー成形することによって得ることができるが、他にも、内層体８の合成樹脂素材と外層体９の合成樹脂素材とを積層させた試験管状のプリフォームを準備し、このプリフォームを２軸延伸ブロー成形して形成することや、内層体及び外層体を個別に形成し、その後、内層体を外層体の内側に配置したものも採用することができる。
【００３８】
内栓１１は、上部開口８ａに挿入されるとともに口部９ａとの間で内層体８を挟持する筒状壁１１ａと、筒状壁１１ａから径方向外側に突出して口部９ａの上端との間で内層体８を挟持するフランジ１１ｂと、水平方向に延在して筒状壁１１ａの上端部を閉鎖する天壁１１ｃと、天壁１１ｃの中央部を貫通する縦向き挿入孔１１ｄと、縦向き挿入孔１１ｄの径方向外側において天壁１１ｃを貫通する吐出口１１ｅとを備えている。
【００３９】
内容物用逆止弁１２は、円柱状をなすとともに下端部を径方向外側に膨出させた軸部１２ａと、軸部１２ａの外周面から径方向外側に向けて延在するドーナツ板状の弁体１２ｂとを備えている。そして、上方から軸部１２ａを縦向き挿入孔１１ｄに挿入して内栓１１に保持される。ここで、内容物用逆止弁１２を内栓１１に保持させた状態において、弁体１２ｂは、吐出口１１ｅを覆って天壁１１ｃの上面に着座している。
【００４０】
なお、先に述べた第一実施形態の多孔質体３ｅと同様、図４に示すように本実施形態の内栓１１も、内容物を局所的に塗布することができる塗布部として機能する多孔質体１１ｆを備えている。本実施形態の多孔質体１１ｆは、その中央部が軸部１２ａによって支持されていて、弁体１２ｂの上方には、弁体１２ｂの天壁１１ｃからの離反を許容する空間が設けられている。
【００４１】
外栓１３は、概略円筒状をなすように形成されていて、その上下方向中央部には、径方向内側に突出して係止部９ｃに係合し、外層体９に対して外栓１３を保持する被係止部１３ａが設けられている。また外栓１３の内周面には、フランジ１１ｂを収めて内栓１１の外層体９からの抜け出しを阻止する凹部１３ｂと、溝部９ｂに挿入されて外層体９に対して外栓１３を回り止め保持するリブ１３ｃが設けられている。
【００４２】
また外栓１３の外周面には、雄ねじ部１３ｄが設けられていて、雄ねじ部１３ｄの下方には、先に述べた第一実施形態の小突起１ｅ及び大突起１ｆと同様の構成になる小突起１３ｅ及び大突起１３ｆが設けられている（図４のＣ−Ｃ断面図を参照）。そして小突起１３ｅ及び大突起１３ｆの下方には、外栓１３を径方向に貫通する横向き挿入孔（通気口）１３ｇが設けられている。なお、外栓１３を外層体９に保持した状態において、外栓１３の下端部における内周面は、口部９ａの外周面に気密に当接している。
【００４３】
空気用逆止弁１４は、図４のＤ部拡大図に示すように、円柱状をなす柱状部１４ａと、柱状部１４ａの一端部に設けられる円板状部１４ｂと、柱状部１４ａの他端部に設けられる膨出部１４ｃを備えている。本実施形態の空気用逆止弁１４は、外栓１３の横向き挿入孔１３ｇに挿入され、円板状部１４ｂが外栓１３の径方向外側に位置するとともに膨出部１４ｃが外栓１３の径方向内側に位置するようにして取り付けられる。ここで空気用逆止弁１４は、横向き挿入孔１３ｇに対してスライド可能に保持されている。また空気用逆止弁１４は、柱状部１４ａの外周面において柱状部１４ａの軸線に沿って延在し、その後、円板状部１４ｂの内側面において円板状部１４ｂの径方向内側から外側に向かって延在する溝部１４ｄを備えている。
【００４４】
櫛付きキャップ１５は、有蓋筒状をなし、多孔質体１１ｆを覆うとともに外栓１３と空気用逆止弁１４を取り囲むキャップ本体１５ａを備えている。キャップ本体１５ａの内周面には、雄ねじ部１３ｄに係合する雌ねじ部１５ｂが設けられている。これにより、雄ねじ部１３ｄと雌ねじ部１５ｂが締め付けられる方向に櫛付きキャップ１５を回転させると、櫛付きキャップ１５を外栓１３に保持することができる。なお、雄ねじ部１３ｄと雌ねじ部１５ｂは、先に述べた第一実施形態の雄ねじ部１ｄと雌ねじ部５ｂと同様に、本明細書等における「ねじ機構」として機能する。
【００４５】
またキャップ本体１５ａの内周面において、雌ねじ部１５ｂの下方には、係止突起１５ｃが設けられている。図４のＣ−Ｃ断面図に示したように係止突起１５ｃは、先に述べた第一実施形態の係止突起５ｃと同様、小突起１３ｅ及び大突起１３ｆとともに本明細書等における「緩み止め機構」として機能する。
【００４６】
そしてキャップ本体１５ａの上部には、図５に示すように平行に並ぶ複数の櫛歯片１５ｄが設けられていて、櫛歯片１５ｄの相互間には、表裏を貫通するとともに多孔質体１１ｆを介して吐出口１１ｅに通じる連通口１５ｅが設けられている。更に図４に示すように、櫛歯片１５ｄの下方におけるキャップ本体１５ａの外周面には、雄ねじ部（第二雄ねじ部）１５ｆが設けられている。
【００４７】
蓋体１６は、櫛歯片１５ｄを覆うようにして設けられるものであって、その内周面下端部には、第二雄ねじ部１５ｆに係合する雌ねじ部（第二雌ねじ部）１６ａが設けられている。なお、第二雄ねじ部１５ｆと第二雌ねじ部１６ａも、先に述べた第二雄ねじ部５ｆと第二雌ねじ部６ａと同様に、「他のねじ機構」として機能する。
【００４８】
このような構成になる第二実施形態の塗布容器も、櫛付きキャップ１５を使って髪を梳かしながら内容物を塗布することができる。また、図６に示すように、櫛付きキャップ１５を取り外すことによって、多孔質体１１ｆを使って内容物を局所的に塗布することができる。
【００４９】
ところで第二実施形態の塗布容器から内容物を吐出させるには、図７に示すように外層体９の胴部を押圧する。これにより、内部空間Ｎを介して内層体８にも圧力が加わるため、収容空間Ｓが加圧される。そして収容空間Ｓの内容物は、弁体１２ｂを天壁１１ｃから離反させつつ、吐出口１１ｅを通過して多孔質体１１ｆに浸透して、連通口１５ｅから吐出させることができる。なお、内部空間Ｎが加圧された際、空気用逆止弁１４は径方向外側にスライドして、膨出部１４ｃが横向き挿入孔１３ｇを閉鎖するため、内部空間Ｎの空気が外界に漏れることはなく、内層体８を確実に加圧することができる。
【００５０】
内容物の吐出を停止させるには、外層体９への押圧を解除すればよい。これにより、内部空間Ｎへの加圧も停止するため、図８に示すように弁体１２ｂが復元して天壁１１ｃに着座し、吐出口１１ｅは閉鎖される。また外層体９は可撓性を有するために復元し始めるが、このとき内部空間Ｎは減圧されるため、外気は、櫛付きキャップ１５と外栓１３との隙間を通り、空気用逆止弁１４に設けた溝部１４ｄを通過して、外気導入口９ｄを介して内部空間Ｎに導入される。従って、内層体８を減容変形させたまま、外層体９だけを復元させることができるため、次回内容物を吐出する際は、そのまま外層体９の胴部を押圧すればよい。
【００５１】
以上、本発明について具体的な実施形態を示しながら説明したが、本発明に従う塗布容器は、上述した実施形態に限られるものではなく、特許請求の範囲に従う範疇で種々の変更を加えたものも含まれる。例えば、第一実施形態のねじ機構は、櫛付きキャップ５の雌ねじ部５ｂを容器本体１の雄ねじ部１ｄに係合させるものであったが、雄ねじ部１ｄは外栓４に設けてもよい。また第二実施形態のねじ機構は、櫛付きキャップ１５の雌ねじ部１５ｂを外栓１３の雄ねじ部１３ｄに係合させるものであったが、雄ねじ部１３ｄは外層体９に設けてもよい。また、上述した実施形態においては、内栓３、１１の天壁３ｃ、１１ｃに多孔質体３ｅ、１１ｆを設けたが、多孔質体３ｅ、１１ｆを省略して、天壁３ｃ、１１ｃによって内容物が塗り拡げられるように構成してもよい。また空気用逆止弁１４は、内容物用逆止弁１２のように、弁体が外栓１３の壁面に着座、離反して横向き挿入孔１３ｇを開閉するように構成してもよい。
【符号の説明】
【００５２】
１：容器本体
１ａ：上部開口
１ｂ：口部
１ｃ：外向き爪部
１ｄ：雄ねじ部
１ｅ：小突起
１ｆ：大突起
２：栓体
３：内栓
３ａ：筒状壁
３ｂ：フランジ
３ｃ：天壁
３ｄ：吐出口
３ｅ：多孔質体（塗布部）
４：外栓
４ａ：内向き爪部
４ｂ：凹部
５：櫛付きキャップ
５ａ：キャップ本体
５ｂ：雌ねじ部
５ｃ：係止突起
５ｄ：櫛歯片
５ｅ：連通口
５ｆ：第二雄ねじ部
６：蓋体
６ａ：第二雌ねじ部
７：容器本体
８：内層体
８ａ：上部開口
９：外層体
９ａ：口部
９ｂ：溝部
９ｃ：係止部
９ｄ：外気導入口
１０：栓体
１１：内栓
１１ａ：筒状壁
１１ｂ：フランジ
１１ｃ：天壁
１１ｄ：縦向き挿入孔
１１ｅ：吐出口
１１ｆ：多孔質体（塗布部）
１２：内容物用逆止弁
１２ａ：軸部
１２ｂ：弁体
１３：外栓
１３ａ：被係止部
１３ｂ：凹部
１３ｃ：リブ
１３ｄ：雄ねじ部
１３ｅ：小突起
１３ｆ：大突起
１３ｇ：横向き挿入孔（通気口）
１４：空気用逆止弁
１４ａ：柱状部
１４ｂ：円板状部
１４ｃ：膨出部
１４ｄ：溝部
１５：櫛付きキャップ
１５ａ：キャップ本体
１５ｂ：雌ねじ部
１５ｃ：係止突起
１５ｄ：櫛歯片
１５ｅ：連通口
１５ｆ：第二雄ねじ部
１６：蓋体
１６ａ：第二雌ねじ部
Ｎ：内部空間
Ｓ：収容空間
【図１】
2019208536.tif 000003
【図２】
2019208536.tif 000004
【図３】
2019208536.tif 000005
【図４】
2019208536.tif 000006
【図５】
2019208536.tif 000007
【図６】
2019208536.tif 000008
【図７】
2019208536.tif 000009
【図８】
2019208536.tif 000010